(57)【要約】【課題】エアガン（空気銃）の発射機構に用いられるバルブボディにねじ切りを施すことなく、気密を保ちうるバルブボディを実現する。【解決手段】  バルブボディ気室カバー左１１およびバルブボディ気室カバー右１２は、バルブボディ気室カバー１１０側部の一部を構成する側部１１Ｂ、１２Ｂと接合部Ｂ１、Ｂ２を有するとともに、側部１１Ｂ、１２Ｂに一体に設けられたバルブボディ気室カバーの底部１１３の一部を構成する底部１１Ａ、１２Ａを有する。  単位カバー１１、１２の分解状態でバルブボディ１を内部に収納してバルブボディ１外周に取り付けた上で、各単位カバー１１、１２の各接合部Ｂ１、Ｂ２を相互に結合してバルブボディ気室カバー１１０を組み立て、組み立てた状態では、底部１１３が閉じられた筒状となる、  を備える玩具銃。【選択図】図１
2017101851.tif 000002
【特許請求の範囲】
【請求項１】
内部に中空のバルブボディ気室を有し、底部は取外し可能に嵌められた蓋で塞がれた筒状からなるバルブボディと、
複数の単位カバーを結合してなり、バルブボディの外周に取り付けられ側部及び底部を有するバルブボディ気室カバーとを有し、
単位カバーは、バルブボディ気室カバー側部の一部を構成する側部と接合部を有するとともに、少なくとも単位カバーの一つは側部に一体に設けられたバルブボディ気室カバーの底部の一部又は全部を構成する底部を有し、
単位カバーの分解状態でバルブボディを内部に収納してバルブボディ外周に取り付けた上で、各単位カバーの各接合部を相互に結合してバルブボディ気室カバーを組み立て、組み立てた状態では、バルブボディ気室カバーは、底部が閉じられた筒状となる、
を備える玩具銃。
【請求項２】
単位カバーはそれぞれ一体の側部と底部とを備える請求項１記載の玩具銃。
【請求項３】
バルブボディを覆うバルブボディ気室カバーを左右から取り付ける請求項１又は請求項２又は請求項３のいずれかに記載の玩具銃。
【請求項４】
ネジでバルブボディ気室カバー相互を固定する請求項１又は請求項２又は請求項３のいずれかに記載の玩具銃。
【請求項５】
バルブボディ気室カバーは、パンクチャーフレームと一体である請求項１又は請求項２又は請求項３又は請求項４のいずれかに記載の玩具銃。
【発明の詳細な説明】
【技術分野】
【０００１】
本発明は、玩具銃に係る。詳細には、エアガン（空気銃）、更に詳細には、エアガンの発射機構に用いられるバルブボディに係る。
【背景技術】
【０００２】
エアガン（空気銃）の発射機構に用いられるバルブボディは、弾丸発射のためのエネルギー源となる高圧の圧縮ガスを高圧のまま収めるために、気密を保つ必要がある。そのため従来のエアガンは、一般には、内部に中空のバルブボディ気室（空間部分）を有するバルブボディは、後端部に「ねじ切り」した上で、蓋をねじ止めして取り付けている（米国特許第４，１４７，１５２号公報  参照）。
【０００３】
高圧のバルブボディ気室を得る為には、ねじ切りねじ止めが有効なためである。バルブボディ気室が、エアガン発射後に後方とか他方に飛んでいかないだけの強度、剛性を持たせることができる。また、分解組み換えがし易い。
【先行技術文献】
【特許文献】
【０００４】
【特許文献１】米国特許第４，１４７，１５２号公報
【発明の概要】
【発明が解決しようとする課題】
【０００５】
特許文献１（米国特許第４，１４７，１５２号公報）記載発明では、図１１などに図示されるように、end plug member５２は、bore４０の後端にねじ切りねじ止めされる。
しかし、ねじ切りは、一定以上の精度が必要であり、そのコストは小さくない。しかも、ねじ切り加工の際に発生する切り屑は、ガス漏れの原因となる。すなわち、圧縮ガスをバルブボディ内に充填して弾丸を発射すると、放出バルブの移動の際に切り屑がバルブボディ気室内を舞い、放出バルブとバルブパッキンとの間に挟まることで放出バルブが完全に閉じきらない状態となってしまい、ガスが外部に流出することがある。これを防ぐため、ねじ切り加工後にバルブボディを洗浄することも通常行われるが、微細な切り屑は洗浄によっても取り切れず、ガス漏れを完全になくすことは困難である。
更に、ねじ切り作業にはコストがかかり、製品が高価なものとなる課題を有する。
【０００６】
本発明の目的は、エアガン（空気銃）の発射機構に用いられるバルブボディにねじ切りを施すことなく、気密を保ちうるバルブボディを実現するものである。
【課題を解決するための手段】
【０００７】
本発明の玩具銃は、
内部に中空のバルブボディ気室を有し、底部は取外し可能に嵌められた蓋で塞がれた筒状からなるバルブボディと、
複数の単位カバーを結合してなり、バルブボディの外周に取り付けられ側部及び底部を有するバルブボディ気室カバーとを有し、
単位カバーは、バルブボディ気室カバー側部の一部を構成する側部と接合部を有するとともに、少なくとも単位カバーの一つは側部に一体に設けられたバルブボディ気室カバーの底部の一部又は全部を構成する底部を有し、
単位カバーの分解状態でバルブボディを内部に収納してバルブボディ外周に取り付けた上で、各単位カバーの各接合部を相互に結合してバルブボディ気室カバーを組み立て、組み立てた状態では、バルブボディ気室カバーは、底部が閉じられた筒状となる、
を備える。
【０００８】
あるいは、更に、本発明の玩具銃は、
単位カバーはそれぞれ一体の側部と底部とを備える。
【０００９】
あるいは、更に、本発明の玩具銃は、
バルブボディを覆うバルブボディ気室カバーを左右から取り付ける、
を備える。
【００１０】
あるいは、更に、
ネジでバルブボディ気室カバー相互を固定する。
【００１１】
あるいは、更に、本発明の玩具銃は、
バルブボディ気室カバーは、パンクチャーフレームと一体である。
【発明の効果】
【００１２】
本発明によれば、バルブボディにねじ切りせずに蓋をした上で、発射機構に用いられるバルブボディは、弾丸発射のためのエネルギー源となる高圧の圧縮ガスを高圧のまま収めるために、気密を保つことができる。
ねじ切り加工や洗浄等の工程が不要となり、製造コスト削減や製造時間短縮に資する。
切り屑が発生しないため、ガス漏れのおそれを小さくでき、不良率を低下させることと
なる。
【図面の簡単な説明】
【００１３】
【図１】この発明の実施の形態に係る第１実施例に係る玩具銃の分解斜視図である。
【図２】この発明の実施の形態に係る第１実施例に係る玩具銃の一部拡大断面図である。
【図３】この発明の実施の形態に係る第１実施例に係る玩具銃の一部拡大正面図である。
【図４】この発明の実施の形態に係る第１実施例に係る玩具銃の一部拡大斜視図である。
【図５】この発明の実施の形態に係る第１実施例に係る玩具銃の一部拡大断面図である。
【図６】この発明の実施の形態に係る第２実施例に係る玩具銃の分解斜視図である。
【図７】この発明の実施の形態に係る第２実施例に係る玩具銃の斜視図である。
【図８】この発明の実施の形態に係る第２実施例に係る玩具銃の使用状態の正面図である。
【図９】この発明の実施の形態に係る第２実施例に係る玩具銃の使用状態の正面図である。
【図１０】この発明の実施の形態に係る第２実施例に係る玩具銃の使用状態の正面図である。
【発明を実施するための形態】
【００１４】
この発明の実施の一形態に係る実施例を、この発明の実施例を図示する図面に基づいて
説明する。
この発明の玩具銃Ａに係る第１実施例をあらわす、図１乃至図５に従って説明する。玩具銃Ａはこの実施例では、エアにより作動するエアガンからなる。
第１実施例は、単位カバーであるバルブボディ気室カバー１１、１２が、第２実施例においては一体となっているパンクチャーフレーム１１１、１２１と別体となっているタイプである。
【００１５】
１は、バルブボディである。バルブボディ１は、玩具銃Ａの銃口Ｃ側のチェンバー２７後方に設けられる。バルブボディ１は、内部に中空のバルブボディ気室（空間部分）１Ａを有している。バルブボディ気室１Ａ内には、圧縮ガスを密閉して、機密状態で収納可能である。ここで、機密状態とは、エアガンのバルブボディ気室１Ａに導入されたエアの圧力に対して機密状態を維持できる程度の機密状態を保持できることをいう。
【００１６】
図１乃至図５等に図示される３は、放出バルブである。放出バルブ３は、円筒体からなり、バルブボディ気室１Ａ内に、玩具銃Ａの銃前後方向へ移動可能に設けられる。
放出バルブ３は、図４、図５に図示されるように、その内部にバルブ貫通孔３１を有し、外周にフランジ部３２を有する。３３は、貫通口開口部である。貫通口開口部３３は、放出バルブ３の側部に設けられ、放出バルブ３外部と貫通口３１とを連通させる。そのため、放出バルブ３は、貫通口開口部３３からガスを貫通口３１内に導入させ、銃口Ｃ側の先端開口部３４からガスを放出する。放出バルブ３は、その外周面に放出バルブ３を銃口Ｃ方向へ付勢するバルブスプリング４を設けている。フランジ部３２は、図示されるように放出バルブ３の他の外径より径大である。そのため、放出バルブ３がバルブスプリング４により銃口Ｃ側へ付勢された状態では、バルブボディ気室１Ａの前側に設けられたバルブパッキン２に当接し、バルブボディ気室１Ａ内の気密を保っている。
【００１７】
バルブボディ１の銃後端側には、気室蓋６が嵌められる。気室蓋６の銃口Ｃ側には、気室パッキン５が設けられ、気密の保持を助ける。従来は、バルブボディ１の銃後端側にねじ切り加工をした上で、同じくねじ切り加工を施された気室蓋を締めこんでいたが、本件実施例では、ねじ切り加工は不要となっている。
【００１８】
８は、ピアスである。ピアス８は、先端がとがっている。バルブボディ１は、密閉されたガスカートリッジであるガスボンベ１６内の圧縮ガスの供給を受けるため、ガスボンベ１６の封を破るために先端がとがっているピアス８を、下方に設けている。７はピアスパッキンであり、１０はピアス蓋である。それぞれ、ピアスパッキン７やピアス蓋１０を設けて、ガスカートリッジであるガスボンベ１６内の圧縮ガスが外部に漏出するのを防いでいる。従来技術では、ここもねじ切り加工が施された上で、ピアス等が設けられていたが、本実施例では、ピアス蓋１０が開口部に嵌められ、ねじ切り加工が不要となっている。
【００１９】
図１に図示されるように、１１はバルブボディ気室カバー左、１２はバルブボディ気室カバー右である。バルブボディ気室カバー左１１、バルブボディ気室カバー右１２がそれぞれ単位カバーであり、これらで、バルブボディ気室カバー１１０を構成する。
バルブボディ気室カバー左１１およびバルブボディ気室カバー右１２は、それぞれ一体に設けられた側部１１Ｂ、１２Ｂと底部１１Ａ、１２Ａとを有する。Ｂ１、Ｂ２は、バルブボディ気室カバー左１１およびバルブボディ気室カバー右１２の各接合部である。単位カバーは、バルブボディ気室カバー側部１１０の一部を構成する側部１１Ｂ、１２Ｂと接合部Ｂ１、Ｂ２を有するとともに、少なくともその一つは側部１１Ｂ、１２Ｂに一体に設けられたバルブボディ気室カバー１１０の底部１１３の一部又は全部を構成する底部１１Ａ、１２Ａを有する。底部は一方の単位カバーにのみその側部に一体に設けてもよい。
【００２０】
すなわち、バルブボディ気室カバー左１１およびバルブボディ気室カバー右１２とは、底部１１Ａ、１２Ｂを有する筒状を長手方向に接合部Ｂ１、接合部Ｂ２で二分割した半筒状からなる。
この実施例では、単位カバーは、２個からなるが、３個、４個等複数からなってもよい。
バルブボディ気室カバー左１１およびバルブボディ気室カバー右１２と、を接合部Ｂ１、Ｂ２で結合して組み立てた状態では、底部１１３が閉じられた筒状となる。相互に気密状態に固定するバルブボディ気室カバー左１１およびバルブボディ気室カバー右１２は、長手方向に接合部Ｂ１、Ｂ２を設けているので、長手方向に複数個のカバーに分解可能である。
【００２１】
バルブボディ１は、バルブボディ気室カバー左１１およびバルブボディ気室カバー右１２とで両側から挟まれ、それぞれの接合端部である接合部Ｂ１、接合部Ｂ２を接合させた上で、ネジ１３によって相互を固定される。この固定によって、圧入された気室蓋６がガス圧を受けてもバルブボディ１から離反することを防ぐ。
バルブボディ気室カバー左１１、バルブボディ気室カバー右１２は、後端部にねじ切り部を有さない。
【００２２】
第２実施例をあらわす図６、図７について説明する。第２実施例は、バルブボディ気室カバー１１、１２とパンクチャーフレーム１１１、１２１とが一体となっているタイプである。
パンクチャーフレームは、バルブボディ１に放出バルブ３その他上記の部品を収めた気室ユニットＡ、パンクチャーフレーム左１１、パンクチャーフレーム右１２、およびパンクチャーネジ１４等から成り、エネルギー源となる圧縮ガスを収めたガスボンベ１６を格納する容器である。
【００２３】
気室ユニットであるバルブボディ１、気室蓋６等は、パンクチャーフレーム左１１１およびパンクチャーフレーム右１２１とで両側から挟まれ、ネジ１３によって固定される。パンクチャーフレーム左１１１およびパンクチャーフレーム右１２１の下方にはパンクチャーネジ１４が配されており、パンクチャーフレーム左１１１およびパンクチャーフレーム右１２１とで両側から挟まれて固定される。パンクチャーフレーム左１１１およびパンクチャーフレーム右１２１は、各々バルブボディ気室カバー左１１およびバルブボディ気室カバー右１２を兼ねるものである。
【００２４】
図８乃至図９にしたがって、第２実施例の弾丸の発射までの作動について説明する。
銃本体２１は、主にパンクチャーフレーム（パンクチャーフレーム左１１１およびパンクチャーフレーム右１２１）、インナーバレル２３、バレルハウジング２５、トリガー２８、ヒットピン２９、マガジン３０等から構成される。
インナーバレル２３にはバレルスプリング２４が設けられ、インナーバレル２３は銃後端側へ付勢される。バレルハウジング２５にはバレルラッチ２６が設けられる。
【００２５】
トリガー２８は、トリガー軸を中心に回動可能に設けられる。トリガー２８の上方先端は、バレルラッチ２６に係合する。バレルラッチ２６は、バレルラッチ軸を中心に回動可能に設けられる。
ヒットピン２９は、インナーバレル２３の後端に設けられる。ヒットピン２９の銃口Ｃ側には、マガジン３０より落下した弾丸Ｗが収まるチェンバー２７が設けられる。
マガジン３０は、この実施形態ではインナーバレル２３の上方に設けられるが、弾丸Ｗを供給できさえするなら、マガジン３０の場所はどこでも差支えない。マガジン３０内の弾丸Ｗは、マガジンフォロワー４０により、一発発射する毎にチェンバー２７へ移動する。
【００２６】
図９に図示されるように、使用者がトリガー２８を引くと、トリガー２８の上方先端がバレルラッチ２６と係合しながらインナーバレル２３を前方へ押圧する。インナーバレル２３の前進によって、弾丸Ｗがマガジン３０から１個、落下して装弾される。
次いで、図１０に図示されるように、トリガー２８とバレルラッチ２６との係合が解けると、バレルスプリング２４の付勢によってインナーバレル２３が勢いよく後退する。インナーバレル２３の後端は、放出バルブ３の前方（銃口Ｃ側）に設けられるヒットピン２９を直撃する。ヒットピン２９が、銃後端側に移動して放出バルブ３に衝突すると、放出バルブ３が後退する。これによって、放出バルブ３に設けられた開口部がバルブボディ気室内に曝され、圧縮ガスが流入し、気密が解ける。圧縮ガスが放出バルブ３内の貫通孔を通ってチェンバー２７にある弾丸Ｗを強く押圧し、弾丸Ｗはインナーバレル２３内の空洞を通って銃本体２１の外部へ発射される。
【００２７】
本実施例はブローバックしないタイプの玩具銃Ａからなるが、原理的には、ブローバックタイプの玩具銃Ａにも応用可能である。
【符号の説明】
【００２８】
Ａ      玩具銃
１      バルブボディ
１Ａ    バルブボディ気室
６      蓋
１１    バルブボディ気室カバー左（単位カバー）
１２    バルブボディ気室カバー右（単位カバー）
１１Ａ  底部（単位カバー）
１２Ａ  底部（単位カバー）
１１Ｂ  側部（単位カバー）
１２Ｂ  側部（単位カバー）
Ｂ１    接合部（単位カバー）
Ｂ２    接合部（単位カバー）
１１０  バルブボディ気室カバー
１１３  底部（バルブボディ気室カバー）
【図１】
2017101851.tif 000003
【図２】
2017101851.tif 000004
【図３】
2017101851.tif 000005
【図４】
2017101851.tif 000006
【図５】
2017101851.tif 000007
【図６】
2017101851.tif 000008
【図７】
2017101851.tif 000009
【図８】
2017101851.tif 000010
【図９】
2017101851.tif 000011
【図１０】
2017101851.tif 000012